(57)【要約】【課題】蒸気導管を蓋体に対し片側に設けていても、炊飯中に蓋体が斜めにならないようにする炊飯器を提供する。【解決手段】蓋体４の幅方向の片側に収納され、一端にパッキン６ｂを有する蒸気流出口６ａが設けられ、炊飯中に発生する内釜２内の炊飯物からの蒸気を蒸気流出口６ａへと導く蒸気導管６と、蓋体４が閉じられたときに蒸気導管６の蒸気流出口６ａとパッキン６ｂを介在して接合される蒸気導入口２２ａが設けられたタンク蓋２２を有し、蒸気導管６の蒸気流出口６ａからタンク蓋２２の蒸気導入口２２ａに流入する蒸気を冷却水によって復水して回収する水タンク２１と、蓋体４の内釜２側と対向する周縁部４ｂのうち蒸気導管６の反対側に位置する周縁部４ａに突出して設けられた弾性部材１１とを備え、弾性部材１１の突出の長さは、蓋体４が閉じられたときその蓋体４が水平になるように設定されている。【選択図】図１
2010099420.tif 000002
【特許請求の範囲】
【請求項１】
一端が開閉自在に取り付けられた蓋体を有する炊飯器本体と、
前記炊飯器本体に着脱可能に収納された内釜と、
前記蓋体の幅方向の片側に収納され、一端にパッキンを有する蒸気流出口が設けられ、炊飯中に発生する前記内釜内の炊飯物からの蒸気を前記蒸気流出口へと導く蒸気導管と、
前記蓋体が閉じられたときに前記蒸気導管の蒸気流出口と前記パッキンを介在して接合される蒸気導入口が前記蒸気導管と同じ片側に設けられたタンク蓋を有し、前記蒸気導管の蒸気流出口から前記タンク蓋の蒸気導入口に流入する蒸気を冷却水によって復水して回収する水タンクと、
前記蓋体の前記内釜側と対向する面のうち前記蒸気導管の反対側に位置する面に突出して設けられた弾性部材とを備え、
前記弾性部材の突出の長さは、前記蓋体が閉じられたとき当該蓋体が水平になるように設定されていることを特徴とする炊飯器。
【請求項２】
前記弾性部材は、前記蓋体側に代えて、前記炊飯器本体の蓋体側と対向する面のうち前記蒸気導管の反対側に位置する面に上方に突出して設けられていることを特徴とする請求項１記載の炊飯器。
【発明の詳細な説明】
【技術分野】
【０００１】
本発明は、炊飯中に発生する内釜内の蒸気を冷却水で復水して回収する水タンクを備えた炊飯器に関するものである。
【背景技術】
【０００２】
従来の炊飯器は、炊飯中に内釜内に発生した炊飯物からの蒸気を蒸気導管によって水タンクに導き、その蒸気を水タンク内の冷却水の中に放出させて復水している。その水タンクは、炊飯器本体の外側上部に着脱可能に取り付けられている（例えば、特許文献１参照）。
【０００３】
【特許文献１】特開平０３−２３１６１３号公報（第２頁、第１図）
【発明の開示】
【発明が解決しようとする課題】
【０００４】
ところで、蒸気導管は、蒸気が水タンク内の冷却水の中に放出された際、蒸気圧によって上方に押し上げられる。蒸気導管が蓋体に対し片側に設けられていた場合には、前述の如く蒸気導管が蒸気圧によって上方に押し上げられるので、蓋体は本体に対し斜めになり、蓋体と本体の間の隙間が不均一になる。
本発明は、前記のような課題を解決するためになされたもので、蒸気導管を蓋体に対し片側に設けていても、炊飯中に蓋体が斜めにならないようにする炊飯器を得ることを目的とする。
【課題を解決するための手段】
【０００５】
本発明に係る炊飯器は、一端が開閉自在に取り付けられた蓋体を有する炊飯器本体と、炊飯器本体に着脱可能に収納された内釜と、蓋体の幅方向の片側に収納され、一端にパッキンを有する蒸気流出口が設けられ、炊飯中に発生する内釜内の炊飯物からの蒸気を蒸気流出口へと導く蒸気導管と、蓋体が閉じられたときに蒸気導管の蒸気流出口とパッキンを介在して接合される蒸気導入口が蒸気導管と同じ片側に設けられたタンク蓋を有し、蒸気導管の蒸気流出口からタンク蓋の蒸気導入口に流入する蒸気を冷却水によって復水して回収する水タンクと、蓋体の内釜側と対向する面のうち蒸気導管の反対側に位置する面に突出して設けられた弾性部材とを備え、弾性部材の突出の長さは、蓋体が閉じられたときその蓋体が水平になるように設定されている。
【発明の効果】
【０００６】
本発明においては、弾性部材の突出の長さを、蓋体が閉じられたときその蓋体が水平になるように設定し、しかも弾性部材を蒸気導管の反対側に位置する面に設けられているので、炊飯中に水タンク内に流入した蒸気の圧力により、蒸気導管が押し上げられて蓋体が斜めになることを抑えることが可能になり、このため、蓋体の水平状態を保つことができる。
【発明を実施するための最良の形態】
【０００７】
図１は本発明の実施の形態に係る炊飯器を示す蓋体開放状態の斜視図、図２は実施の形態に係る炊飯器の蓋体の前部側を下方から見て示す拡大斜視図、図３は実施の形態に係る炊飯器の正面を切断して示す水タンク側の断面図、図４は蓋体が斜めになっている状態を示す水タンク側の断面図である。なお、図１に示す(１１ａ)の符号は、他の形態として説明する。
【０００８】
実施の形態の炊飯器は、図１に示すように、炊飯器本体１と、炊飯時に発生する蒸気を冷却水で復水して回収する水タンク２１とで構成されている。炊飯器本体１には、外面が磁性体金属で構成された有底筒状の内釜２が着脱可能に収納され、炊飯器本体１の上部には、一端がヒンジ部３によって開閉自在に軸支された蓋体４が取り付けられている。蓋体４には、内釜２の上部開口を塞ぐ内蓋５が着脱可能に取り付けられている。この内蓋５の外周部には、内蓋５によって内釜２の上部開口が塞がれたときに内釜２のフランジ部２ａに接して、内釜２の上部開口を密閉状態にするパッキン５ｂが取り付けられている。また、蓋体４には、内蓋５によって覆われた蓋放熱板が取り付けられており、蓋放熱板の内蓋５側の面の反対側の面に蓋ヒータが配設されている。さらに、蓋体４と内蓋５の間には蒸気導管６が設けられている。
【０００９】
炊飯器本体１の内側には、何れの図にも示していないが、上部枠と、胴ヒータが配設された側面放熱板と、コイル台とによって構成された上部開口の有底筒状の保護枠が設けられている。この保護枠に前述した内釜２が収納される。保護枠のコイル台には、内釜２を誘導加熱する誘導コイルが設けられており、また、コイル台の中央部を貫通して内釜２の底部に接触する底温度センサが設けられている。
【００１０】
水タンク２１は、例えばプラスチックからなり、炊飯器本体１の前面側に着脱可能に取り付けられている。水タンク２１の上部開口には、タンク蓋２２が着脱可能な状態で嵌め込まれており、また、水タンク２１には、上方から見てほぼＣ字状に形成されたタンクカバー２３が着脱可能に取り付けられている。このタンクカバー２３は、使用者が高温時の水タンク２１に直接触れないようにするためと、炊飯器の意匠を損なわないようにするために設けられている。タンク蓋２２には、蓋体４に設けられた蒸気導管６の蒸気流出口６ａとパッキン６ｂを介在して接合されるほぼ四辺形の蒸気導入口２２ａが設けられている。タンク蓋２２の蒸気導入口２２ａは、水タンク２１側から見て左側に位置している。また、この蒸気導入口２２ａには、図３に示すように、水タンク２１内に下方に延びる連通管２２ｂが設けられている。
【００１１】
蒸気導管６は、図３に示すように、前述した蒸気流出口６ａがタンク蓋２２の蒸気導入口２２ａに接合されるように、水タンク２１側から見て、蓋体４の下面４ａの左側に設けられた蓋凹部７に収納されている。この蒸気導管６は、内蓋５の蒸気排出口５ａに接合された蒸気流入口（図示せず）を有している。
【００１２】
前述した蓋凹部７は、タンク蓋２２の蒸気導入口２２ａ及び内蓋５の一部を覆うように蓋体４の長手方向に延びており、内蓋５側においては、内蓋５の蒸気排出口５ａを覆うように内蓋５の中心軸方向に膨らんでおり、タンク蓋２２側においては、図３に示すように、幅方向の寸法が内蓋５側と比べ狭くなって水タンク２１の上方に位置する蓋体４の下面４ａと一体になっている。
【００１３】
蓋体４の下面４ａと一体に形成された周縁部４ｂのうち、水タンク２１側から見て、蓋体４の前部右側のコーナ近傍に位置する周縁部４ｂに弾性部材１１が設けられている（図１及び図２参照）。この弾性部材１１は、例えば耐熱性を有するゴム材よりなり、図３に示すように周縁部４ｂを貫通して突出している。弾性部材１１の突出部分の長さは、例えば蓋体４が閉じられたときの蒸気流出口６ａのパッキン６ｂの高さとほぼ同じになるように設定されている。つまり、蓋体４が閉じられたときのパッキン６ｂと弾性部材１１とによって、蓋体４とタンク蓋２２との間の隙間がほぼ均一になり、その状態が弾性部材１１によって保たれている。
【００１４】
前記のように構成された炊飯器においては、炊飯中に内釜２内の炊飯物から蒸気が発生すると、その蒸気は、内蓋５の蒸気排出口５ａから蒸気導管６内に入り、蒸気導管６に導かれてタンク蓋２２の蒸気導入口２２ａに至る。そして、水タンク２１内に延びた連通管２２ｂを通って冷却水の中に入っていく。この時、前記の弾性部材１１がなかった場合、図４に示すように、連通管２２ｂ内の蒸気圧によって蒸気導管６の蒸気流出口６ａ側が上方に押し上げられて蓋体４が斜めになるが、本実施の形態では、蓋体４が閉じられたときのパッキン６ｂの高さとほぼ同じ弾性部材１１がタンク蓋２２に当たって蓋体４とタンク蓋２２との間の隙間を保持し、しかも蓋体４の幅方向において弾性部材１１が蒸気導管６の反対側の位置に設置されているので、連通管２２ｂ内の蒸気圧によって蒸気導管６側の蓋体４は押し上げられるが、その蓋体４の傾きは弾性部材１１によって僅かで、弾性部材１１の弾性力によってほぼ水平状態が保たれる。
【００１５】
以上のように実施の形態によれば、蓋体４の下面４ａと一体に形成された周縁部４ｂのうち、水タンク２１側から見て、蓋体４の前部右側のコーナ近傍に位置する周縁部４ｂに、蓋体４を閉じた際にタンク蓋２２に当たる弾性部材１１を設けたので、炊飯中に水タンク２１の連通管２２ｂ内に流入した蒸気の圧力により、蒸気導管６の蒸気流出口６ａ側が押し上げられて蓋体４が斜めになることを抑え、蓋体４の水平状態を保つことができる。
【００１６】
なお、実施の形態では、弾性部材１１を蓋体４の周縁部４ｂに設けたことを述べたが、例えば図１に示すように、炊飯器本体１の前部右側の角部に上方に突出する弾性部材１１ａを設けて、その弾性部材１１ａが蓋体４の周縁部４ｂに当たるようにしても良い。この弾性部材１１ａの突出部分の長さは、蓋体４が閉じられたとき、その蓋体４が水平になるように設定されている。
【００１７】
また、弾性部材１１を蓋体４の前部右側のコーナ近傍に位置する周縁部４ｂ、或いは炊飯器本体１の前部右側の角部に設けたことを述べたが、これに限定されるものではなく、蓋体４を水平に保てる位置であれば何れでも良い。
【図面の簡単な説明】
【００１８】
【図１】本発明の実施の形態に係る炊飯器を示す蓋体開放状態の斜視図である。
【図２】実施の形態に係る炊飯器の蓋体の前部側を下方から見て示す拡大斜視図である。
【図３】実施の形態に係る炊飯器の正面を切断して示す水タンク側の断面図である。
【図４】蓋体が斜めになっている状態を示す水タンク側の断面図である。
【符号の説明】
【００１９】
１  炊飯器本体、２  内釜、２ａ  フランジ、３  ヒンジ部、４  蓋体、４ａ  蓋体の下面、４ｂ  周縁部、５  内蓋、５ａ  蒸気排出口、５ｂ  パッキン、６  蒸気導管、
６ａ  蒸気流出口、６ｂ  パッキン、７  蓋凹部、１１  弾性部材、２１  水タンク、
２２  タンク蓋、２２ａ  蒸気導入口、２２ｂ  連通管、２３  タンクカバー。
【図１】
2010099420.tif 000003
【図２】
2010099420.tif 000004
【図３】
2010099420.tif 000005
【図４】
2010099420.tif 000006